(57)【要約】【課題】容器設置部を覆うためのカバーが主カバーと副カバーに分割されている自動分析装置において、操作者が主カバー及び副カバーの開閉を片手で同時に行なうことができるようにする。【解決手段】カバー１は上面に取手部３を備え、上方から見て取手部３を含まない切欠き部５をもつ主カバー７と切欠き部５の大きさの副カバー９に分割されている。主カバー７は副カバー９の裏面の一部分を支持するために切欠き部５の側面１１に主カバー７の上面とは間隔をもって切欠き空間側に突出して形成された座部１３と、側面１１に形成された嵌合穴１７を備えている。副カバー９はカバー１全体の周縁部の近傍に重心（×印参照）をもち、切欠き部５に副カバー９が位置合わせされた状態で嵌合穴１７に嵌合される突起部２５を備えている。【選択図】図１
0003128009.tif 000002
【実用新案登録請求の範囲】
【請求項１】
試薬容器及び検体容器の一方又は両方が設置される容器設置部の上に着脱可能に配置されたカバーを備え、そのカバーは上面に取手部を備え、上方から見て取手部を含まない切欠き部をもつ主カバーと切欠き部の大きさの副カバーに分割されている自動分析装置において、
前記主カバーは、前記副カバーの裏面の一部分を支持するために前記切欠き部の側面に前記主カバーの上面とは間隔をもって切欠き空間側に突出して形成された座部と、前記切欠き部の前記側面に形成された嵌合穴を備え、
前記副カバーは、カバー全体の周縁部の近傍に重心をもち、前記切欠き部に前記副カバーが位置合わせされた状態で前記嵌合穴に嵌合される突起部を備えていることを特徴とする自動分析装置。
【請求項２】
前記副カバーは前記主カバーに対向する辺に下面側に突出する副カバー側壁を備え、
前記主カバーは前記座部に上面側に突出する鍔部を備え、
前記鍔部は前記切欠き部の前記側面とは前記副カバー側壁の厚みよりも大きい間隔をもって前記座部に配置されている請求項１に記載の自動分析装置。
【考案の詳細な説明】
【技術分野】
【０００１】
本考案は、例えば生物学自動分析装置、血液凝固分析装置、免疫分析装置などの自動分析装置に関し、特に、試薬容器及び検体容器の一方又は両方が設置される容器設置部の上に着脱可能に配置されたカバーを備え、そのカバーは上面に取手部を備え、上方から見て取手部を含まない切欠き部をもつ主カバーと切欠き部の大きさの副カバーに分割されている自動分析装置に関するものである。
【背景技術】
【０００２】
一般に、自動分析装置では試薬容器及び検体容器が設置される容器設置部は保冷されている。容器設置部の上に着脱可能にカバーが配置されている。カバーは上面に取手部を備えており、操作者は取手部を掴んでカバーの開閉を行なうことができる。
カバーは上方から見て、取手部を含まない切欠き部をもつ主カバーと、切欠き部の大きさの副カバーに分割されている。副カバーには、操作者が副カバーのみを開閉することができるように、取手部とは別途取手部が設けられている。
【０００３】
主カバーは、安全のために、自動分析装置の分析動作中には開閉できないようにロックされる。副カバーは分析動作中でも取り外すことができる。操作者は分析動作中に副カバーを取り外して検体容器の追加などを行なうことができる。
【考案の開示】
【考案が解決しようとする課題】
【０００４】
自動分析装置に主カバー及び副カバーが設置されている状態で、操作者が主カバーの取手部のみを掴んで主カバー及び副カバーを開けようとすると副カバーが脱落する。したがって、例えば試薬容器の交換や装置のメンテナンス等において主カバー及び副カバーの両方を取り外す際には、主カバーと副カバーを別々に取り外さなければならず、又は両手で主カバー及び副カバーを取り外さなければならなかった。
【０００５】
試薬容器や検体容器の交換の際には、通常、操作者は片手に交換しようとする試薬容器や検体容器を持っているので、副カバーを取り外して作業台等の場所に置いた後、主カバーを取り外すという手間がかかった。また、副カバーを置く場所を近くに用意する必要もあった。
【０００６】
そこで本考案は、容器設置部を覆うためのカバーが主カバーと副カバーに分割されている自動分析装置において、操作者が主カバー及び副カバーの開閉を片手で同時に行なうことができる自動分析装置を提供することを目的とするものである。
【課題を解決するための手段】
【０００７】
本考案にかかる自動分析装置は、試薬容器及び検体容器の一方又は両方が設置される容器設置部の上に着脱可能に配置されたカバーを備え、そのカバーは上面に取手部を備え、上方から見て取手部を含まない切欠き部をもつ主カバーと切欠き部の大きさの副カバーに分割されている自動分析装置であって、上記主カバーは上記副カバーの裏面の一部分を支持するために上記切欠き部の側面に上記主カバーの上面とは間隔をもって切欠き空間側に突出して形成された座部と、上記切欠き部の上記側面に形成された嵌合穴を備え、上記副カバーはカバー全体の周縁部の近傍に重心をもち、上記切欠き部に上記副カバーが位置合わせされた状態で上記嵌合穴に嵌合される突起部を備えている。
本願実用新案登録請求の範囲及び本明細書において、副カバーの裏面には副カバー側壁の裏面も含む。
【０００８】
本考案の自動分析装置において、上記副カバーは上記主カバーに対向する辺に下面側に突出する副カバー側壁を備え、上記主カバーは上記座部に上面側に突出する鍔部を備え、上記鍔部は上記切欠き部の上記側面とは上記副カバー側壁の厚みよりも大きい間隔をもって上記座部に配置されている例を挙げることができる。
【考案の効果】
【０００９】
本考案の自動分析装置では、主カバーは副カバーの一部分を支持するために切欠き部の側面に主カバーの上面とは間隔をもって切欠き空間側に突出して形成された座部と、切欠き部の側面に形成された嵌合穴を備え、副カバーはカバー全体の周縁部の近傍に重心をもち、主カバーの嵌合穴に嵌合される突起部を備えているようにしたので、主カバー及び副カバーが容器設置部を覆って自動分析装置に配置された状態から操作者によって主カバーの取手部が掴まれて主カバーが持ち上げられると、副カバーはカバー全体の周縁部の近傍に重心をもつので、副カバーの突起部は主カバーの座部と副カバーとの接触部を支点として嵌合穴でカバー上面側へ付勢される。これにより、主カバーの取手部が掴まれてカバーが持ち上げられても副カバーが主カバーから脱落するのを防止することができ、操作者は主カバー及び副カバーの開閉を片手で同時に行なうことができるようになる。そして、操作者は片手でカバー全体を開けた状態で、もう片方の手で試薬容器や検体容器の出し入れができる。また、副カバーを置くための場所は必要ない。
【００１０】
さらに、副カバーは主カバーに対向する辺に下面側に突出する副カバー側壁を備え、主カバーは座部に上面側に突出する鍔部を備え、鍔部は切欠き部の側面とは副カバー側壁の厚みよりも大きい間隔をもって座部に配置されているようにすれば、副カバーが主カバーの切欠き部に配置された状態で操作者によって主カバーの取手部が掴まれてカバーが持ち上げられた際に副カバーのカバー外周側への移動量を規制することができ、副カバーが主カバーから脱落するのをより確実に防止することができる。
【考案を実施するための最良の形態】
【００１１】
図１は一実施例のカバーを示す平面図であり、（Ａ）は主カバー、（Ｂ）は副カバー、（Ｃ）は主カバー及び副カバーを合わせた状態を示す。図２は、図１（Ｃ）のＡ−Ａ位置での断面図であり、（Ａ）は分析装置に配置されているときの状態、（Ｂ）は主カバーの取手部が掴まれて主カバー及び副カバーが持ち上げられたときの状態を示す。図３は自動分析装置の上面図であり、（Ａ）は主カバー及び副カバーが設置されていない状態、（Ｂ）は主カバーのみが設置された状態、（Ｃ）は主カバー及び副カバーが設置された状態を示す。
まず、図１及び図２を参照してこの実施例のカバーについて説明する。
【００１２】
カバー１は例えば樹脂材料からなり、上面の中央部に取手部３を備えている。カバー１は、上方から見て取手部３を含まない切欠き部５をもつ主カバー７と、切欠き部５の大きさの副カバー９に分割されている。
【００１３】
主カバー７は切欠き部５の側面１１に切欠き空間側に突出して形成された座部１３を備えている。座部１３は副カバー９の裏面の一部分を支持するためのものであり、主カバー７の上面とは間隔をもって形成されている。座部１３は先端に上面側に突出する鍔部１５を備えている。鍔部１５と側面１１の間隔寸法は後述する副カバー側壁２３の厚みよりも大きく形成されている。側面１１に嵌合穴１７が形成されている。
【００１４】
主カバー７には自動分析装置のサンプルプローブの移動軌跡に合わせて溝１９ａが形成されている。また、溝１９ａの所定の位置に複数の貫通孔１９ｂが形成されている。さらに、主カバー７には自動分析装置の試薬プローブの移動軌跡に合わせて溝２１ａが形成され、溝２１ａの所定の位置に複数の貫通孔２１ｂが形成されている。
【００１５】
副カバー９はカバー１全体の周縁部の近傍に重心をもつ（×印を参照）。また、副カバー９は主カバー７に対向する辺に下面側に突出する副カバー側壁２３を備えている。副カバー側壁２３に、切欠き部５に副カバー９が位置合わせされた状態で嵌合穴１７に嵌合される突起部２５が形成されている。
副カバー９の上面に２本の溝状凹部２７が形成されて副カバー取手部２９が形成されている。
【００１６】
図３（Ａ）を参照して自動分析装置本体について説明する。
自動分析装置３１は試薬容器及び検体容器の一方又は両方が設置される容器設置部３３を備えている。容器設置部３３は上方から見て円形であり、複数の試薬容器を収容できる試薬テーブル３３ａを中央部に備え、複数の検体容器を収容できる検体テーブル３３ｂを周縁部に備えている。検体テーブル３３ｂは平面形状が扇形の６つの検体ユニットを収容できる。この実施例では各検体ユニットは１０本の検体容器を収容できる。主カバー７の切欠き部５は、主カバー７が装置３１に配置された状態で１つの検体ユニットを取り出すことができる大きさに形成されている。
【００１７】
容器設置部３３の近傍に、サンプルプローブを円弧上で移動させるサンプルアーム３５と、試薬プローブを円弧上で移動させる試薬アーム３７と、試薬アーム３７と同じ回転中心をもつキュベットアーム３９が設けられている。また、キュベット供給位置４１にキュベットを供給するためのキュベット供給機構４３が設けられている。
【００１８】
容器設置部３３の外周に、主カバー７を位置決めするための凹部４５ａ，４５ｂが形成されている。主カバー７の外周には凹部４５ａ，４５ｂに対応して凸部が形成されている。凹部４５ａに対応する主カバー７の凸部は先端に段差部を備え、その段差部の先端が凹部４５ａの側壁に形成された穴に挿入される。
【００１９】
また、容器設置部３３の近傍に主カバーロック４７が配置されている。主カバーロック４７は先端が容器設置部３３の周縁部上（ロック状態）と容器設置部３３外の位置（ロック解除状態）の間で回動できるようになっている。主カバーロック４７のロック状態は例えば磁気センサによって検出される。主カバーロック４７と凹部４５ａは容器設置部３３外周のほぼ対向する位置に設けられている。これにより、凹部４５ａに対応する主カバー７の突起の段差部が凹部４５ａの穴に挿入されて主カバー７が容器設置部３３上に配置された後、主カバーロック４７がロックされると、主カバー７は取り外せない状態になる。主カバーロック４７が解除された状態ではサンプルアーム３５、試薬アーム３７、試薬テーブル３３ａ及び検体テーブル３３ｂの動作は自動的に停止される。
【００２０】
容器設置部３３の外周に、例えば磁気によって副カバー９が配置されているかを検出する副カバーセンサ（図示は省略）が設けられている。副カバー９が配置されていない状態では試薬テーブル３３ａ及び検体テーブル３３ｂの動作は自動的に停止される。
【００２１】
図示は省略するが、サンプルアーム３５及び試薬アーム３７の移動範囲の上方及び側方を覆うトップカバーが配置されている。トップカバーは閉じたときに副カバー９の配置位置は覆わない形状で形成されている。これにより、トップカバーが閉じられた状態で副カバー９の開閉を行なうことができる。
【００２２】
図１（Ｃ）及び図３（Ｃ）に示すように、カバー１が容器配置部３３を覆って装置３１に配置されるときには、副カバー９は、突起部２５が嵌合穴１７内に配置され、副カバー側壁２３の裏面が座部１３に接触されて、主カバー７の切欠き部５に位置合わせされる。カバー１が装置３１に配置された後、主カバーロック４７がロックされる（図３（Ｃ）参照）。また、図３（Ｂ）に示すように、主カバーロック４７がロックされた状態で、副カバー９を取り外すことができる。
【００２３】
カバー１全体を装置３１から取り外す際、操作者は主カバーロック４７を解除し、取手部３を掴んでカバー１を持ち上げる。このとき、副カバー９はカバー１全体の周縁部の近傍に重心をもつので、図２（Ｂ）に示すように、副カバー９の突起部２５は主カバー７の座部１３と副カバー側壁２３の裏面との接触部を支点として嵌合穴２５でカバー上面側へ付勢される。これにより、主カバー７の取手部３が掴まれてカバー１が持ち上げられても副カバー９が主カバー７から脱落するのを防止することができ、操作者は主カバー７及び副カバー９の開閉を片手で同時に行なうことができる。
【００２４】
さらに、主カバー９は座部１３に上面側に突出する鍔部１５を備えているので、副カバー９が主カバー７の切欠き部５に配置された状態で操作者によって主カバー７の取手部３が掴まれてカバー１が持ち上げられた際に、鍔部１５により副カバー９のカバー外周側への移動量を規制することができ、副カバー９が主カバー７から脱落するのをより確実に防止することができる。
【００２５】
この実施例では、主カバー７の嵌合穴１７は貫通穴ではないが、図４（Ａ）に示すように、嵌合穴１７は貫通穴であってもよい。
また、図４（Ｂ）に示すように、主カバー７は鍔部１５を備えていなくてもよい。
また、図４（Ｃ）に示すように、主カバー７及び副カバー９は側壁を備えていなくてもよい。
【００２６】
以上、本考案の実施例を説明したが、本考案はこれらに限定されるものではなく、形状、材料、配置、個数などは一例であり、実用新案登録請求の範囲に記載された本考案の範囲内で種々の変更が可能である。
【図面の簡単な説明】
【００２７】
【図１】一実施例のカバーを示す平面図であり、（Ａ）は主カバー、（Ｂ）は副カバー、（Ｃ）は主カバー及び副カバーを合わせた状態を示す。
【図２】図１（Ｃ）のＡ−Ａ位置での断面図であり、（Ａ）は分析装置に配置されているときの状態、（Ｂ）は主カバーの取手部が掴まれて主カバー及び副カバーが持ち上げられたときの状態を示す。
【図３】自動分析装置の上面図であり、（Ａ）は主カバー及び副カバーが設置されていない状態、（Ｂ）は主カバーのみが設置された状態、（Ｃ）は主カバー及び副カバーが設置された状態を示す。
【図４】（Ａ）から（Ｃ）は他の実施例のカバーをそれぞれ示す断面図である。
【符号の説明】
【００２８】
１  カバー全体
３  取手部
５  切欠き部
７  主カバー
９  副カバー
１１  切欠き部の側面
１３  座部
１５  鍔部
１７  嵌合穴
２３  副カバーの側壁
２５  突起部
３３  容器設置部
【図１】
0003128009.tif 000003
【図２】
0003128009.tif 000004
【図３】
0003128009.tif 000005
【図４】
0003128009.tif 000006